(57)【特許請求の範囲】
【請求項１】
画像を撮影する撮像手段と、
モニタ画面と、
該モニタ画面上に備えられたタッチパネルと、
前記撮像手段による画像の撮影後から前記モニタ画面に撮影画像を所定時間表示するレビュー表示中に前記タッチパネルに対してタッチ操作が行われたか否かを判別する第１の判別手段と、
前記第１の判別手段により前記レビュー表示中に前記タッチパネルに対してタッチ操作が行われたと判別された場合にそのタッチ操作が継続中であるか否かを判別する第２の判別手段と、
前記第２の判別手段により前記タッチパネルに対するタッチ操作が継続中であると判別されている時間を計測する計測手段と、
前記計測手段により計測された時間とレビュー表示を行う前記所定時間との関係に応じて、前記レビュー表示の表示方法を制御する表示制御手段と、
を備えることを特徴とする撮像装置。
【請求項２】
前記表示制御手段は、レビュー表示を行なう前記所定時間経過後に、前記第２の判別手段によりタッチ操作が継続中であると判別されている間、前記レビュー表示を継続する、
ようにしたことを特徴とする請求項１に記載の撮像装置。
【請求項３】
前記表示制御手段は、レビュー表示を行なう前記所定時間経過前に、前記第２の判別手段により前記タッチパネルに対してタッチ操作が継続中でないと判別された場合、前記所定時間を経過するまではレビュー表示を行うことを特徴とする請求項２に記載の撮像装置。
【請求項４】
前記撮像手段からの画像をライブビュー画像として逐次表示している前記モニタ画面内の被写体を撮影対象として指定するために、該被写体の表示位置に対応する前記タッチパネル上の位置がタッチ操作された際にレリーズ処理を開始させるタッチシャッタ手段を更に備え、
前記第２の判別手段は、前記レビュー表示中に前記タッチシャッタ手段によって前記レリーズ処理を開始させるタッチ操作後にそのタッチ操作が継続中であるか否かを判別する、
ようにしたことを特徴とする請求項１〜請求項３のいずれかに記載の撮像装置。
【請求項５】
画像を撮影する撮像手段と、
モニタ画面と、
該モニタ画面上に備えられたタッチパネルと、
前記撮像手段による画像の撮影後から前記モニタ画面に撮影画像を所定時間表示するレビュー表示中に前記タッチパネルに対してタッチ操作が行われたか否かを判別する第１の判別手段と、
前記第１の判別手段により前記レビュー表示中に前記タッチパネルに対してタッチ操作が行われたと判別された場合にそのタッチ操作が継続中であるか否かを判別する第２の判別手段と、
前記第２の判別手段により前記タッチパネルに対するタッチ操作が継続中であると判別されている時間を計測する計測手段と、
前記計測手段により計測された時間に応じて前記レビュー表示の表示方法を制御する表示制御手段と、
を備え、
前記表示制御手段は、前記計測手段により計測された今回の計測時間を、次回のレビュー表示を行なう前記所定時間に反映させることを特徴とする撮像装置。
【請求項６】
画像を撮影する撮像手段と、
モニタ画面と、
該モニタ画面上に備えられたタッチパネルと、
前記撮像手段による画像の撮影後から前記モニタ画面に撮影画像を所定時間表示するレビュー表示中に前記タッチパネルに対してタッチ操作が行われたか否かを判別する第１の判別手段と、
前記第１の判別手段により前記レビュー表示中に前記タッチパネルに対してタッチ操作が行われたと判別された場合にそのタッチ操作の状態を判別する第２の判別手段と、
前記タッチ操作の継続時間及び前記タッチパネル上でのタッチ位置によらず前記第２の判別手段により判別されたタッチ操作の状態に応じて、前記タッチ操作終了後における前記レビュー表示の表示時間を可変に制御する表示制御手段と、
を備えることを特徴とする撮像装置。
【請求項７】
前記第２の判別手段は、前記レビュー表示中に前記タッチパネルに対して行われたタッチ操作の軌跡に応じたタッチ操作の種類をタッチ操作の状態として判別し、
前記表示制御手段は、前記第２の判別手段により判別されたタッチ操作の種類に応じて、前記タッチ操作終了後における前記レビュー表示の表示時間を制御する、
ようにしたことを特徴とする請求項６に記載の撮像装置。
【請求項８】
前記第２の判別手段は、前記レビュー表示中に行われたタッチ操作がなぞり操作の場合に、そのなぞり操作の移動距離をタッチ操作の状態として判別し、
前記表示制御手段は、前記第２の判別手段により判別されたなぞり操作の移動距離に応じて、前記タッチ操作終了後における前記レビュー表示の表示時間を制御する、
ようにしたことを特徴とする請求項６に記載の撮像装置。
【請求項９】
前記タッチパネル上で行われたタッチ操作が文字を手書きで入力する文字入力操作の場合に、その入力文字を認識する文字認識手段を更に備え、
前記第２の判別手段は、前記レビュー表示中に前記文字認識手段により認識された文字をタッチ操作の状態として判別する、
前記表示制御手段は、前記第２の判別手段により判別された認識された文字に応じて、前記タッチ操作終了後における前記レビュー表示の表示時間を制御する、
ようにしたことを特徴とする請求項８に記載の撮像装置。
【請求項１０】
前記表示制御手段は、前記第２の判別手段により前記レビュー表示中に前記タッチパネルに対してタッチ操作が行われたと判別された時点で、該レビュー表示を停止させると共に、前記撮像手段からの画像をライブビュー画像として逐次表示するライブビュー表示に切り替える、
ようにしたことを特徴とする請求項６に記載の撮像装置。
【請求項１１】
画像を撮影する撮像手段による画像の撮影後からモニタ画面に撮影画像を所定時間表示するレビュー表示中に前記モニタ画面上のタッチパネルに対してタッチ操作が行われたか否かを判別するステップと、
前記レビュー表示中に前記タッチパネルに対してタッチ操作が行われたと判別された場合に、そのタッチ操作が継続中であるか否かを判別するステップと、
前記タッチパネルに対するタッチ操作が継続中であると判別されている時間を計測するステップと、
前記計測された時間とレビュー表示を行う前記所定時間との関係に応じて、前記レビュー表示の表示方法を制御するステップと、
を含むことを特徴とする撮像処理方法。
【請求項１２】
コンピュータに、
画像を撮影する撮像手段による画像の撮影後からモニタ画面に撮影画像を所定時間表示するレビュー表示中に前記モニタ画面上のタッチパネルに対してタッチ操作が行われたか否かを判別する機能、
前記レビュー表示中に前記タッチパネルに対してタッチ操作が行われたと判別された場合に、そのタッチ操作が継続中であるか否かを判別する機能、
前記タッチパネルに対するタッチ操作が継続中であると判別されている時間を計測する機能、
前記計測された時間とレビュー表示を行う前記所定時間との関係に応じて、前記レビュー表示の表示方法を制御する機能、
を実現させるためのプログラム。
【請求項１３】
画像を撮影する撮像手段による画像の撮影後からモニタ画面に撮影画像を所定時間表示するレビュー表示中に前記モニタ画面上のタッチパネルに対してタッチ操作が行われたか否かを判別するステップと、
前記レビュー表示中に前記タッチパネルに対してタッチ操作が行われたと判別された場合に、そのタッチ操作が継続中であるか否かを判別するステップと、
前記タッチパネルに対するタッチ操作が継続中であると判別されている時間を計測するステップと、
前記計測された時間に応じて前記レビュー表示の表示方法を制御するステップと、
を含み、
前記計測された今回の計測時間を、次回のレビュー表示を行なう前記所定時間に反映させることを特徴とする撮像処理方法。
【請求項１４】
コンピュータに、
画像を撮影する撮像手段による画像の撮影後からモニタ画面に撮影画像を所定時間表示するレビュー表示中に前記モニタ画面上のタッチパネルに対してタッチ操作が行われたか否かを判別する機能、
前記レビュー表示中に前記タッチパネルに対してタッチ操作が行われたと判別された場合に、そのタッチ操作が継続中であるか否かを判別する機能、
前記タッチパネルに対するタッチ操作が継続中であると判別されている時間を計測する機能、
前記計測された時間に応じて前記レビュー表示の表示方法を制御する機能、
を実現させ、
前記計測された今回の計測時間を、次回のレビュー表示を行なう前記所定時間に反映させるためのプログラム。
【請求項１５】
画像を撮影する撮像手段による画像の撮影後からモニタ画面に撮影画像を所定時間表示するレビュー表示中に前記モニタ画面上のタッチパネルに対してタッチ操作が行われたか否かを判別するステップと、
前記レビュー表示中に前記タッチパネルに対してタッチ操作が行われたと判別された場合に、そのタッチ操作の状態を判別するステップと、
前記タッチ操作の継続時間及び前記タッチパネル上でのタッチ位置によらず前記判別されたタッチ操作の状態に応じて、前記タッチ操作終了後における前記レビュー表示の表示時間を可変に制御するステップと、
を含むことを特徴とする撮像処理方法。
【請求項１６】
コンピュータに、
画像を撮影する撮像手段による画像の撮影後からモニタ画面に撮影画像を所定時間表示するレビュー表示中に前記モニタ画面上のタッチパネルに対してタッチ操作が行われたか否かを判別する機能、
前記レビュー表示中に前記タッチパネルに対してタッチ操作が行われたと判別された場合に、そのタッチ操作の状態を判別する機能、
前記タッチ操作の継続時間及び前記タッチパネル上でのタッチ位置によらず前記判別されたタッチ操作の状態に応じて、前記タッチ操作終了後における前記レビュー表示の表示時間を可変に制御する機能、
を実現させるためのプログラム。
【発明の詳細な説明】
【技術分野】
【０００１】
本発明は、画像を撮影する撮像手段を備えた撮像装置及び撮像処理方法並びにプログラムに関する。
【背景技術】
【０００２】
従来、デジタルスチルカメラなどの撮像装置において撮影直後に撮影画像を所定時間レビュー表示するレビュー機能を備えたものにあっては、撮影直後のレビュー表示時間（所定時間）をユーザの好みに応じて任意に設定できるようにした技術が存在している。また、従来では、レビュー表示を解除する技術として、タッチパネルへの押圧操作により撮像を行った場合には、レビュー表示に加えて撮影待機状態に切り替えるための押圧入力領域を表示するようにした技術が開示されている（特許文献１参照）。
【先行技術文献】
【特許文献】
【０００３】
【特許文献１】特開２０１１−４０８９７号公報
【発明の概要】
【発明が解決しようとする課題】
【０００４】
しかしながら、上述した前者の技術にあっては、ユーザの好みに応じてレビュー表示時間を任意に設定可能であったとしても、撮影毎に設定時間、レビュー表示するようにしているため、例えば、撮影画像をじっくり確認したいときには撮影モードから再生モードに切り替える必要があり、逆に、撮影画像の確認が不要なときにはシャッターボタンを半押し操作してレビュー表示を直ちに解除する必要があった。また、上述した後者の技術（特許文献の技術）にあっては、撮影待機状態に切り替えるために、押圧入力領域への操作を必要とするものであった。このように従来にあっては、いずれの技術においても操作対象の位置が限定されているために操作対象を目視確認しながら捜し出して操作する必要があり、操作性の良いものとはいえなかった。
【０００５】
本発明の課題は、撮影後のレビュー表示を撮影毎に容易に制御できるようにすることである。
【課題を解決するための手段】
【０００６】
上述した課題を解決するために本発明の撮像装置は、
画像を撮影する撮像手段と、
モニタ画面と、
該モニタ画面上に備えられたタッチパネルと、
前記撮像手段による画像の撮影後から前記モニタ画面に撮影画像を所定時間表示するレビュー表示中に前記タッチパネルに対してタッチ操作が行われたか否かを判別する第１の判別手段と、
前記第１の判別手段により前記レビュー表示中に前記タッチパネルに対してタッチ操作が行われたと判別された場合にそのタッチ操作が継続中であるか否かを判別する第２の判別手段と、
前記第２の判別手段により前記タッチパネルに対するタッチ操作が継続中であると判別されている時間を計測する計測手段と、
前記計測手段により計測された時間とレビュー表示を行う前記所定時間との関係に応じて、前記レビュー表示の表示方法を制御する表示制御手段と、
を備えることを特徴とする撮像装置である。
上述した課題を解決するために本発明の他の撮像装置は、
画像を撮影する撮像手段と、
モニタ画面と、
該モニタ画面上に備えられたタッチパネルと、
前記撮像手段による画像の撮影後から前記モニタ画面に撮影画像を所定時間表示するレビュー表示中に前記タッチパネルに対してタッチ操作が行われたか否かを判別する第１の判別手段と、
前記第１の判別手段により前記レビュー表示中に前記タッチパネルに対してタッチ操作が行われたと判別された場合にそのタッチ操作が継続中であるか否かを判別する第２の判別手段と、
前記第２の判別手段により前記タッチパネルに対するタッチ操作が継続中であると判別されている時間を計測する計測手段と、
前記計測手段により計測された時間に応じて前記レビュー表示の表示方法を制御する表示制御手段と、
を備え、
前記表示制御手段は、前記計測手段により計測された今回の計測時間を、次回のレビュー表示を行なう前記所定時間に反映させることを特徴とする撮像装置である。
上述した課題を解決するために本発明の他の撮像装置は、
画像を撮影する撮像手段と、
モニタ画面と、
該モニタ画面上に備えられたタッチパネルと、
前記撮像手段による画像の撮影後から前記モニタ画面に撮影画像を所定時間表示するレビュー表示中に前記タッチパネルに対してタッチ操作が行われたか否かを判別する第１の判別手段と、
前記第１の判別手段により前記レビュー表示中に前記タッチパネルに対してタッチ操作が行われたと判別された場合にそのタッチ操作の状態を判別する第２の判別手段と、
前記タッチ操作の継続時間及び前記タッチパネル上でのタッチ位置によらず前記第２の判別手段により判別されたタッチ操作の状態に応じて、前記タッチ操作終了後における前記レビュー表示の表示時間を可変に制御する表示制御手段と、
を備えることを特徴とする撮像装置である。
【０００７】
上述した課題を解決するために本発明の撮像処理方法は、
画像を撮影する撮像手段による画像の撮影後からモニタ画面に撮影画像を所定時間表示するレビュー表示中に前記モニタ画面上のタッチパネルに対してタッチ操作が行われたか否かを判別するステップと、
前記レビュー表示中に前記タッチパネルに対してタッチ操作が行われたと判別された場合に、そのタッチ操作が継続中であるか否かを判別するステップと、
前記タッチパネルに対するタッチ操作が継続中であると判別されている時間を計測するステップと、
前記計測された時間とレビュー表示を行う前記所定時間との関係に応じて、前記レビュー表示の表示方法を制御するステップと、
を含むことを特徴とする撮像処理方法である。
上述した課題を解決するために本発明の他の撮像処理方法は、
画像を撮影する撮像手段による画像の撮影後からモニタ画面に撮影画像を所定時間表示するレビュー表示中に前記モニタ画面上のタッチパネルに対してタッチ操作が行われたか否かを判別するステップと、
前記レビュー表示中に前記タッチパネルに対してタッチ操作が行われたと判別された場合に、そのタッチ操作が継続中であるか否かを判別するステップと、
前記タッチパネルに対するタッチ操作が継続中であると判別されている時間を計測するステップと、
前記計測された時間に応じて前記レビュー表示の表示方法を制御するステップと、
を含み、
前記計測された今回の計測時間を、次回のレビュー表示を行なう前記所定時間に反映させることを特徴とする撮像処理方法である。
上述した課題を解決するために本発明の他の撮像処理方法は、
画像を撮影する撮像手段による画像の撮影後からモニタ画面に撮影画像を所定時間表示するレビュー表示中に前記モニタ画面上のタッチパネルに対してタッチ操作が行われたか否かを判別するステップと、
前記レビュー表示中に前記タッチパネルに対してタッチ操作が行われたと判別された場合に、そのタッチ操作の状態を判別するステップと、
前記タッチ操作の継続時間及び前記タッチパネル上でのタッチ位置によらず前記判別されたタッチ操作の状態に応じて、前記タッチ操作終了後における前記レビュー表示の表示時間を可変に制御するステップと、
を含むことを特徴とする撮像処理方法である。
【０００８】
上述した課題を解決するために本発明のプログラムは、
コンピュータに、
画像を撮影する撮像手段による画像の撮影後からモニタ画面に撮影画像を所定時間表示するレビュー表示中に前記モニタ画面上のタッチパネルに対してタッチ操作が行われたか否かを判別する機能、
前記レビュー表示中に前記タッチパネルに対してタッチ操作が行われたと判別された場合に、そのタッチ操作が継続中であるか否かを判別する機能、
前記タッチパネルに対するタッチ操作が継続中であると判別されている時間を計測する機能、
前記計測された時間とレビュー表示を行う前記所定時間との関係に応じて、前記レビュー表示の表示方法を制御する機能、
上述した課題を解決するために本発明の他のプログラムは、
コンピュータに、
画像を撮影する撮像手段による画像の撮影後からモニタ画面に撮影画像を所定時間表示するレビュー表示中に前記モニタ画面上のタッチパネルに対してタッチ操作が行われたか否かを判別する機能、
前記レビュー表示中に前記タッチパネルに対してタッチ操作が行われたと判別された場合に、そのタッチ操作が継続中であるか否かを判別する機能、
前記タッチパネルに対するタッチ操作が継続中であると判別されている時間を計測する機能、
前記計測された時間に応じて前記レビュー表示の表示方法を制御する機能、
を実現させ、
前記計測された今回の計測時間を、次回のレビュー表示を行なう前記所定時間に反映させるためのプログラムである。
上述した課題を解決するために本発明の他のプログラムは、
コンピュータに、
画像を撮影する撮像手段による画像の撮影後からモニタ画面に撮影画像を所定時間表示するレビュー表示中に前記モニタ画面上のタッチパネルに対してタッチ操作が行われたか否かを判別する機能、
前記レビュー表示中に前記タッチパネルに対してタッチ操作が行われたと判別された場合に、そのタッチ操作の状態を判別する機能、
前記タッチ操作の継続時間及び前記タッチパネル上でのタッチ位置によらず前記判別されたタッチ操作の状態に応じて、前記タッチ操作終了後における前記レビュー表示の表示時間を可変に制御する機能、
を実現させるためのプログラムである。
【発明の効果】
【０００９】
本発明によれば、撮影後のレビュー表示を撮影毎に容易に制御することができ、操作性及び柔軟性に富んだものとなる。
【図面の簡単な説明】
【００１０】
【図１】撮像装置として適用したデジタルカメラの基本的な構成要素を示したブロック図。
【図２】（１）〜（３）は、レビュー表示時間を制御するタッチ操作を説明するための図。
【図３】（１）は、なぞりテーブル３ｃを説明するための図、（２）は、文字認識テーブル３ｄを説明するための図。
【図４】電源投入に応じて実行開始されるカメラの全体動作のうち、本実施形態の特徴部分の動作概要を示したフローチャート。
【図５】図４の動作に続くフローチャート。
【図６】図４の動作に続くフローチャート。
【図７】図４の動作に続くフローチャート。
【図８】第２実施形態において、電源投入に応じて実行開始されるカメラの全体動作のうち、本実施形態の特徴部分の動作概要を示したフローチャート。
【発明を実施するための形態】
【００１１】
以下、本発明の実施の形態について、図面を参照して詳細に説明する。
（実施形態１）
先ず、図１〜図７を参照して本発明の第１実施形態を説明する。
本実施形態は、撮像装置としてデジタルカメラに適用した場合を例示したもので、図１は、このデジタルカメラの基本的な構成要素を示したブロック図である。
撮像装置（デジタルカメラ）は、静止画像のほかに動画像の撮影も可能なコンパクトカメラであり、撮像機能、計時機能などの基本的な機能のほか、レビュー表示機能、タッチシャッタ機能、文字認識機能などを備えている。制御部１は、電源部（二次電池）２からの電力供給によって動作し、記憶部３内の各種のプログラムに応じてこのカメラの全体動作を制御するもので、この制御部１には図示しないＣＰＵ（中央演算処理装置）やメモリなどが設けられている。
【００１２】
記憶部３は、例えば、ＲＯＭ、フラッシュメモリなどを有する構成で、後述する図４〜図７に示した動作手順に応じて本実施形態を実現するためのプログラムや各種のアプリケーションなどが格納されているプログラムメモリ３ａと、このカメラが動作するために必要となる各種の情報（例えば、フラグなど）を一時的に記憶するワークメモリ３ｂと、後述するなぞりテーブル３ｃ、文字認識テーブル３ｄなどを有している。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１３】
操作部４は、押しボタン式のキーとして、撮影可能な状態とする撮影モードと撮影済み画像（保存画像を再生する再生モードとを切り替えるモード変更キー４ａを備えているほか、撮影開始を指示するレリーズキー４ｂ、露出やシャッタスピードなどの撮影条件の設定操作などを行うための各種のキー（図示省略）を備え、制御部１は、この操作部４から操作キーに対応して出力される入力操作信号に応じて、例えば、モード変更処理、撮影処理、撮影条件の設定処理などを行う。
【００１４】
撮像部５は、図示省略したが、光学レンズからの被写体像が撮像素子（ＣＣＤやＣＭＯＳなど）に結像されることにより被写体を高精細に撮影可能なカメラ部を構成するもので、撮影レンズ、撮像素子、ストロボ、各種のセンサ、アナログ処理部、デジタル処理部を有している。そして、撮像部５は、静止画像のほかに動画像の撮影も可能なもので、光電変換された画像信号（アナログ値の信号）は、色分離やＲＧＢの色成分毎のゲイン調整などが行われた後、デジタル値のデータに変換される。デジタル変換された画像データは、色補間処理（デモザイク処理）が施されてタッチ表示部６にフルカラー表示される。また、本実施形態においては、オートフォーカス処理（ＡＦ処理）、露出調整処理（ＡＥ処理）、オートホワイトバランス調整処理（ＡＷＢ）、画像圧縮処理、画像復元処理なども実行可能となっている。
【００１５】
タッチ表示部６は、表示パネル６ａにタッチパネル６ｂを積層配設した構成で、表示パネル６ａは、例えば、縦横比（横４：縦３）の異なる画面を有した高精細液晶ディスプレイあるいは有機ＥＬ（Electro Luminescence）ディスプレイで、撮影画像（ライブビュー画像、レビュー画像）を表示するモニタ画面となったり、撮影済み画像を再生する再生画面となったりする。タッチパネル６ｂは、撮影者の指などでタッチ操作された位置を検知してその座標データを入力するタッチスクリーンを構成するもので、例えば、静電容量方式あるいは抵抗皮膜方式を採用しているが、その他の方式であってもよい。
【００１６】
このタッチ表示部６は、上述したレビュー表示機能、タッチシャッタ機能、文字認識機能時にも利用されるもので、このレビュー表示機能は、撮像部５により撮影が行われる毎に撮影後から所定時間、その撮影画像を表示パネル６ａ（モニタ画面）にレビュー表示する機能であり、本実施形態においては、このレビュー表示中にタッチパネル６ｂに対してタッチ操作が行われた際にそのタッチ操作内容に応じてレビュー表示の表示方法（例えば、レビュー表示の表示時間）を制御するようにしている。なお、撮影後からレビュー表示が行われる所定時間は、ユーザ操作により予め任意に設定された時間であり、このレビュー表示時間（設定時間）として、例えば、８秒が設定されている。
【００１７】
タッチシャッタ機能は、撮像部５からの画像が表示パネル６ａ（モニタ画面）にライブビュー画像として逐次表示されている状態において、このライブビュー表示画面内の被写体を撮影対象として指定するために該被写体の表示位置に対応するタッチパネル６ｂ上の位置がタッチ操作された際にレリーズ処理を開始させる機能である。この場合、撮影対象として指定された被写体に対してオートフォーカス処理（ＡＦ処理）が行われる。文字認識機能は、レビュー表示中のタッチ操作内容に応じてレビュー表示時間を制御するためにタッチパネル６ｂ上で文字がタッチ入力（手書き入力）された場合に、その手書き文字を認識する機能である。
【００１８】
図２は、レビュー表示時間を制御するタッチ操作を説明するための図である。
図２（１）は、レビュー表示中にタッチパネル６ｂへのタッチ操作が行われた場合を例示した図である。すなわち、レリーズキー４ｂを操作することによりレリーズ処理を開始させた場合、あるいは表示パネル６ａ（モニタ画面）に表示されているライブビュー画像内の被写体へのタッチ操作によってレリーズ処理を開始させた場合（タッチシャッタ機能によって撮影を開始させた場合）に、その撮影後のレビュー表示中にタッチパネル６ｂへのタッチ操作が行われた場合を示している。
【００１９】
図２（２）は、レリーズキー４ｂの操作後（撮影後）のレビュー表示中に、タッチパネル６ｂにタッチしながら移動するスライド操作（なぞり操作）が行われた場合を例示した図である。このようにレビュー表示中になぞり操作が行われると、制御部１は、そのなぞり操作の移動距離を算出し、その算出結果（移動距離）に基づいてなぞりテーブル３ｃを参照することによりレビュー表示時間を制御するようにしている。なお、図示の例では、図中、上から下に直線的に移動した場合を示したものであるが、なぞり操作の方向（なぞり方向）としては、上下方向（縦方向）に限らず、例えば、左右方向（横方向）などであってもよく、任意であると共に、更に、なぞりの移動軌跡は直線に限らず、曲線であってもよい。
【００２０】
図３（１）は、なぞりテーブル３ｃを説明するための図である。
なぞりテーブル３ｃは、なぞり操作の移動距離に対応付けてレビュー表示時間を記憶するもので、「移動距離」、「表示時間」の項目を有し、その内容はユーザ操作により任意に設定可能としている。「移動距離」は、レビュー表示中のタッチ操作がなぞり操作の場合にそのタッチ操作の内容を示し、「表示時間」は、その場合のレビュー表示時間を示している。図示の例では、「移動距離」の“〜１０ｍｍ”、“１１〜２０ｍｍ”、“２１〜３０ｍｍ”、“３１〜４０ｍｍ”、“４１ｍｍ以上”に対応付けて「表示時間」として、“１秒”、“５秒”、“１０秒”、“２０秒”、“前回時間（例えば、１０秒）”が記憶されている。ここで、“前回時間”とは、前回撮影時のレビュー表示時間である。すなわち、制御部１は、今回のレビュー表示時間を前回のレビュー表示時間として、なぞりテーブル３ｃの“前回時間”に記憶保持させておき、次回のレビュー表示時には、この記憶保持の“前回時間”をなぞりテーブル３ｃから読み出してその時間分のレビュー表示を行うようにしている。
【００２１】
図２（３）は、レリーズキー４ｂの操作後（撮影後）のレビュー表示中に、タッチパネル６ｂにタッチしながら文字が手書き操作された場合を例示した図である。制御部１は、タッチ入力された手書き文字を認識し、その認識結果（認識文字）に基づいて文字認識テーブル３ｄを参照することによりレビュー表示時間を制御するようにしている。なお、本実施形態において文字とは、アルファベット文字、平仮名、片仮名のほか、記号、数字などであってもよく、図示の例では、図中、数字の“９”を描いた場合を示している。
【００２２】
図３（２）は、文字認識テーブル３ｄを説明するための図である。
文字認識テーブル３ｄは、手書き文字の認識結果に対応付けてレビュー表示時間を記憶するもので、「認識文字・数字・記号」、「表示時間」を項目し、その内容はユーザ操作により任意に設定可能としている。「認識文字・数字・記号」は、レビュー表示中のタッチ操作が文字の手書き入力の場合にそのタッチ操作の内容を示し、「表示時間」は、その場合のレビュー表示時間を示している。図示の例では、「認識文字・数字・記号」の“１〜９”、“０−”、“＋”、“その他”に対応付けて「表示時間」として、“０〜９秒”、“１０秒”、“２０秒”、“前回時間（例えば、２０秒）”が記憶されている。なお、“前回時間”とは、上述と同様に、前回撮影時のレビュー表示時間である。
【００２３】
次に、第１実施形態におけるカメラの動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００２４】
図４〜図７は、カメラの全体動作のうち、本実施形態の特徴部分の動作概要を示したフローチャートであり、電源投入に応じて実行開始される。
先ず、制御部１は、現在の動作モードとして撮影モードに切り替えられているかを調べ（図４のステップＡ１）、撮影モードではなく再生モードに切り替えられているときには（ステップＡ１でＮＯ）、図５のフローに移り、再生モードに応じた処理を行う、すなわち、再生モードの初期設定処理を行うと共に記憶部３に記憶されている撮影画像（保存画像）を表示パネル６ａ（再生画面）に一覧表示させ、その一覧画面の中からユーザ操作により任意に選択された画像を再生画面に切り替え表示させる処理を行う（ステップＡ２）。
【００２５】
この再生モードに切り替えられている状態においてモード変更キー４ａが操作されたかを調べたり（ステップＡ３）、その他の操作が行われたかを調べたりする（ステップＡ４）。いま、その他の操作が行われたときには（ステップＡ４でＹＥＳ）、操作に応じた処理として、例えば、画像送り処理やスライドショーを制御する処理などを行う（ステップＡ５）。そして、上述のステップＡ３に戻るが、モード変更キー４ａが操作されたときには（ステップＡ３でＹＥＳ）、再生モードを解除して撮影モードに移行させるために図４のフローに移る。
【００２６】
一方、撮影モードに切り替えられている状態において（図４のステップＡ１でＹＥＳ）、制御部１は、その初期設定処理を行うと共に撮像部５からの撮影画像をライブビュー画像として表示パネル６ａ（モニタ画面）に表示させる（ステップＡ６）。このライブビュー表示の状態においてレリーズキー４ｂが操作されたかを調べたり（ステップＡ７）、タッチレリーズ操作が行われたかを調べたり（ステップＡ８）、モード変更キー４ａが操作されたかを調べたり（ステップＡ９）、その他の操作が行われたかを調べたりする（ステップＡ１０）。
【００２７】
ここで、その他の操作が行われたときには（ステップＡ１０でＹＥＳ）、その操作に応じた処理として（ステップＡ１１）、例えば、露出調整、ズーム調整などを行った後、上述のステップＡ６に戻る。また、モード変更キー４ａが操作されたときには（ステップＡ９でＹＥＳ）、図５のフローに移り、上述した再生モードに応じた処理を行う。
【００２８】
いま、ライブビュー表示の状態においてレリーズキー４ｂが操作されたときには（ステップＡ７でＹＥＳ）、オートフォーカス処理（ＡＦ処理）、露出調整処理（ＡＥ処理）、オートホワイトバランス調整処理（ＡＷＢ）を行い（ステップＡ１２）、更に撮像部５から取得した撮影画像を圧縮処理して記録保存する撮影処理を行う（ステップＡ１３）。そして、その撮影画像をレビュー画像として表示パネル６ａ（モニタ画面）に表示させることによってレビュー表示を開始させると共に（ステップＡ１４）、レビュー表示時間を計測する減算タイマ（図示省略）に設定時間をセットしてその計測動作を開始させる（ステップＡ１５）。この場合、制御部１は、レビュー表示時間として予め設定されている所定時間（例えば、３秒）を初期値として減算タイマにセットしてその計測動作を開始させるようにする。
【００２９】
そして、図６のフローに移り、レビュー表示中にタッチパネル６ｂへのタッチ操作が行われたかを調べ（ステップＡ１６）、タッチ操作が行われなければ（ステップＡ１６でＮＯ）、レビュー表示時間（上述のステップＡ１５で示した設定時間：例えば、３秒）が経過したかを調べる（ステップＡ１７）。ここで、レビュー表示時間（設定時間）が経過していなければ（ステップＡ１７でＮＯ）、上述のステップＡ１６に戻り、以下、上述のステップＡ１６及びステップＡ１７の動作を繰り返しながら待機状態となる。
【００３０】
いま、レビュー表示中にタッチ操作が行われないまま（ステップＡ１６でＮＯ）、上述の減算タイマがタイムアウトとなって、レビュー表示時間が経過したときには（ステップＡ１７でＹＥＳ）、表示パネル６ａ（モニタ画面）の表示内容をレビュー表示からライブビュー表示に切り替えると共に（ステップＡ２８）、タイマ（この場合には上述の減算タイマ）の計測動作を停止させる（ステップＡ２９）。そして、今回のレビュー表示時間（この場合には上述のステップＡ１５で示した設定時間、例えば、３秒）を、なぞりテーブル３ｃ及び文字認識テーブル３ｄの「前回時間」として記憶させることにより「前回時間」を更新する処理（ステップＡ３０）を行った後、図４のステップＡ６に戻る。
【００３１】
一方、レビュー表示中にタッチ操作が行われると（ステップＡ１６でＹＥＳ）、そのタッチ操作は、なぞり操作であるかを調べたり（ステップＡ１８）、タッチ入力によって文字を手書きする手書き操作であるかを調べたり（ステップＡ１９）、同じ位置を継続してタッチするタッチ継続操作であるかを調べたりする（ステップＡ２０）。ここで、いずれのタッチ操作でもなければ（ステップＡ２０でＮＯ）、上述のステップＡ１７に移る。いま、レビュー表示中に行われたタッチ操作がタッチ継続操作であれば（ステップＡ２０でＹＥＳ）、レビュー表示の継続時間を計測する加算タイマ（図示省略）が計測動作中ではないことを条件に（ステップＡ２１でＮＯ）、その計測動作を開始させる（ステップＡ２２）。以下、ステップＡ２０に戻り、タッチ継続操作中であれば（ステップＡ２０でＹＥＳ）、ステップＡ２１に移るが、この場合、加算タイマは計測動作中であるから（ステップＡ２１でＹＥＳ）、ステップＡ２０に戻り、タッチ継続操作が解除されるまで上述の動作を繰り返しながら待機状態となる。
【００３２】
いま、タッチ継続操作が解除されると（ステップＡ２０でＮＯ）、上述のステップＡ１７に移るが、この場合、タッチ継続操作が解除された時点でレビュー表示時間が経過していなければ、つまり、レビュー表示時間の経過前にタッチ継続操作が解除されたときには（ステップＡ１７でＮＯ）、その時間か経過するまでステップＡ１６に戻る。また、タッチ継続操作が解除された時点でレビュー表示時間が経過していれば、つまり、レビュー表示時間の経過後にタッチ継続操作が解除されたときには（ステップＡ１７でＹＥＳ）、上述のステップＡ２８に移り、レビュー表示からライブビュー表示に切り替える。そして、タイマ（この場合には上述の減算タイマ及び加算タイマ）の計測動作を停止させると共に（ステップＡ２９）、今回のレビュー表示時間（この場合には上述の加算タイマの計測時間あるいは設定時間）を、なぞりテーブル３ｃ及び文字認識テーブル３ｄの「前回時間」として記憶させることにより「前回時間」を更新する処理（ステップＡ３０）を行った後、図４のステップＡ６に戻る。
【００３３】
また、レビュー表示中に行われたタッチ操作がなぞり操作であれば（ステップＡ１８でＹＥＳ）、その移動距離を算出し（ステップＡ２３）、その算出結果（移動距離）に基づいてなぞりテーブル３ｃを参照することにより（ステップＡ２４）、その移動距離に該当する「表示時間」を読み出し、この「表示時間」をレビュー表示時間として決定する（ステップＡ２５）。例えば、レビュー表示時間は、移動距離が“〜１０ｍｍ”であれば、
“１秒”、“２１〜３０ｍｍ”であれば、“５秒”、“３１〜４０ｍｍ”であれば、“１０秒”、“４１ｍｍ以上”であれば、前回時間（例えば、１０秒）となる。そして、この決定した「表示時間」を上述の減算タイマにセットしてその計測動作を開始（ステップＡ２６）させた後、この減算タイマがタイムアウトとなるまで（レビュー表示時間が経過するまで）待機状態となる（ステップＡ２７）。
【００３４】
いま、減算タイマがタイムアウトとなって、レビュー表示時間が経過したときには（ステップＡ２７でＹＥＳ）、レビュー表示からライブビュー表示に切り替える（ステップＡ２８）。そして、タイマ（この場合には上述の減算タイマ）の計測動作を停止させると共に（ステップＡ２９）、今回のレビュー表示時間（この場合には上述ようにして決定した時間）を、なぞりテーブル３ｃ及び文字認識テーブル３ｄの「前回時間」として記憶させることにより「前回時間」を更新（ステップＡ３０）した後、図４のステップＡ６に戻る。
【００３５】
また、レビュー表示中のタッチ操作が文字の手書き操作であれば（ステップＡ１９でＹＥＳ）、手書き入力された文字を認識する処理（ステップＡ３１）を行い、その認識結果（認識文字）に基づいて文字認識テーブル３ｄを参照することにより（ステップＡ３２）、その認識文字に該当する「表示時間」を読み出して、この「表示時間」をレビュー表示時間として決定する（ステップＡ２５）。例えば、レビュー表示時間は、認識文字が“１〜９”であれば、“０〜９秒”、“０−”であれば、“１０秒”、“＋”
であれば、“２０秒”、“その他”であれば、前回時間（例えば、２０秒）となる。そして、この決定した「表示時間」を上述の減算タイマにセットしてその計測動作を開始（ステップＡ２６）させた後、レビュー表示時間が経過するまで待機する（ステップＡ２７）。
【００３６】
ここで、上述の減算タイマがタイムアウトとなって、レビュー表示時間が経過したときには（ステップＡ２７でＹＥＳ）、レビュー表示からライブビュー表示に切り替える（ステップＡ２８）。そして、タイマ（この場合には上述の減算タイマ）の計測動作を停止させると共に（ステップＡ２９）、今回のレビュー表示時間（この場合には上述ようにして決定した時間）を、なぞりテーブル３ｃ及び文字認識テーブル３ｄの「前回時間」として記憶させることにより「前回時間」を更新（ステップＡ３０）した後、図４のステップＡ６に戻る。
【００３７】
他方、タッチレリーズ操作（タッチシャッタ操作）が行われたときには（図４のステップＡ８でＹＥＳ）、図７のフローに移り、オートフォーカス処理（ＡＦ処理）、露出調整処理（ＡＥ処理）、オートホワイトバランス調整処理（ＡＷＢ）を行う（ステップＡ３３）。そして、撮像部５から取得した撮影画像を圧縮処理して記録保存する撮影処理（ステップＡ３４）を行った後、その撮影画像をレビュー画像として表示パネル６ａ（モニタ画面）に表示するレビュー表示を開始させると共に（ステップＡ３５）、上述の減算タイマの計測動作を開始させる（ステップＡ３６）。この場合、レビュー表示時間として予め決められている設定時間（例えば、３秒）を初期値として減算タイマにセットする。
【００３８】
そして、タッチレリーズ操作後も引き続いてタッチ操作が継続されているか、つまり、レビュー表示中のタッチ継続操作を検出したかを調べ（ステップＡ３７）、タッチレリーズ操作後のレビュー表示中でも継続してタッチ操作が行われているときには（ステップＡ３７でＹＥＳ）、レビュー表示の継続時間を計測する加算タイマ（図示省略）が計測動作中ではないことを条件に（ステップＡ３８でＮＯ）、その計測動作を開始（ステップＡ３９）させた後、ステップＡ３７に戻る。
【００３９】
ここで、タッチ操作が解除された時点でレビュー表示時間が経過していなければ（ステップＡ４０でＮＯ）、その表示時間が経過するまで上述のステップＡ３７に戻るが、タッチ操作が解除された時点でレビュー表示時間が経過していれば、つまり、レビュー表示時間の経過後にタッチ操作が解除されたときには（ステップＡ４０でＹＥＳ）、表示内容をレビュー表示からライブビュー表示に切り替える（ステップＡ４１）。そして、タイマ（この場合には上述の減算タイマ及び加算タイマ）の計測動作を停止させると共に（ステップＡ４２）、今回のレビュー表示時間（この場合には上述の加算タイマの計測時間あるいは設定時間）を、なぞりテーブル３ｃ及び文字認識テーブル３ｄの「前回時間」として記憶させることにより「前回時間」を更新する処理（ステップＡ４３）を行った後、図４のステップＡ６に戻る。
【００４０】
以上のように、第１実施形態において制御部１は、撮像部５により撮影が行われる毎にその撮影画像を撮影後から所定時間、表示パネル６ａ（モニタ画面）に表示するレビュー表示中において、タッチパネル６ｂに対してタッチ操作が行われた場合にそのタッチ操作内容に応じてレビュー表示の表示方法（例えば、表示時間）を制御するようにしたので、撮影後のレビュー表示を撮影毎に容易に制御することができ、操作性及び柔軟性に富んだものとなる。
【００４１】
レビュー表示中に行われたタッチ操作が継続中であれば、レビュー表示も継続するようにしたので、撮影者（ユーザ）にあってはタッチパネル６ｂ内の任意の位置を継続してタッチ操作するだけでレビュー表示を継続させることができ、撮影画像をじっくり確認したいときなどに便利なものとなるほか、タッチ操作を解除するだけで、レビュー表示を容易に解除することができる。
【００４２】
タッチシャッタ機能によってタッチパネル６ｂへのタッチ操作が行われた際に、撮影後のレビュー表示中でもそのタッチレリーズ操作（タッチシャッタ操作）が継続中であれば、レビュー表示も継続するようにしたので、撮影画像をじっくり確認したいときなどではタッチレリーズ操作を引き続いて継続するだけで良く便利なものとなるほか、タッチ操作を解除するだけで、レビュー表示を容易に解除することができる。
【００４３】
レビュー表示中にタッチパネル６ｂに対してタッチ操作が行われた場合にそのタッチ操作の種類をタッチ操作内容として判別するようにしたので、タッチ操作の種類を変えるだけでレビュー表示を制御することができる。
【００４４】
レビュー表示中に行われたタッチ操作がなぞり操作の場合に、そのなぞり操作の移動距離をタッチ操作内容とするようにしたので、タッチパネル６ｂ上をなぞるという感覚的に分かり易い操作でレビュー表示を制御することができる。
【００４５】
レビュー表示中に行われたタッチ操作が文字を手書きする手書き操作の場合に、その手書き文字をタッチ操作内容とするようにしたので、タッチパネル６ｂ上で文字を手書きするという感覚的に分かり易い操作でレビュー表示を制御することができる。
【００４６】
タッチ操作内容に応じてレビュー表示時間を制御するようにしたので、例えば、撮影画像をじっくり確認するとき、逆に、撮影画像の確認が不要なときに便利なものとなる。
【００４７】
今回のレビュー表示時間を前回のレビュー表示時間として記憶保持しておき、次回のレビュー表示時には記憶保持の前回時間分のレビュー表示を行うようにしたので、タッチ操作を行うだけで前回と同様のレビュー表示時間とすることができ、更に利便性を向上させることができる。
【００４８】
なお、上述した第１実施形態においては、タッチレリーズ操作後も引き続いてタッチ操作が継続されているときにレビュー表示を継続するようにしたが、タッチレリーズ操作後のなぞり操作によってレビュー表示を継続するようにしてもよい。
【００４９】
また、上述した第１実施形態においては、タッチ操作内容として、なぞり操作、文字の手書き操作、タッチ継続操作を例示したが、これに限らず、例えば、複数回連続してタッチする複数回タッチ、複数本の指で同時にタッチするマルチタッチなどであってもよい。
【００５０】
（第２実施形態）
以下、この発明の第２実施形態について図８を参照して説明する。
なお、上述した第１実施形態においては、タッチ操作が解除された時点でレビュー表示時間（設定時間）が経過していなければ、その設定時間か経過するまでレビュー表示を継続するようにしたが、この第２実施形態においては、タッチ操作が解除された際に、レビュー表示時間が経過しているか否かに関わらず、レビュー表示を停止するようにしたものである。ここで、両実施形態において基本的あるいは名称的に同一のものは、同一符号を付して示し、その説明を省略すると共に、以下、第２実施形態の特徴部分を中心に説明するものとする。
【００５１】
図８は、第２実施形態において、本実施形態の特徴部分の動作概要を示したフローチャートであり、電源投入に応じて実行開始される。ここで、ステップＢ１〜Ｂ１１は、図４のステップＡ１、Ａ６〜Ａ１５と同様であるためにその説明を簡単に行うものとする。
先ず、制御部１は、再生モードに切り替えられていれば（ステップＢ１でＮＯ）、上述した図５のフローに移り、上述と同様の再生モードに応じた処理が行われるが、撮影モードに切り替えられていれば（ステップＢ１でＹＥＳ）、撮影モードの初期設定処理を行ってライブビュー表示を行う（ステップＢ２）。この状態においてレリーズキー４ｂが操作されたかを調べたり（ステップＢ３）、タッチレリーズ操作が行われたかを調べたり（ステップＢ４）、モード変更キー４ａが操作されたかを調べたり（ステップＢ５）、その他の操作が行われたかを調べたりする（ステップＢ６）。
【００５２】
ここで、その他の操作が行われたときには（ステップＢ６でＹＥＳ）、その操作に応じた処理を行う（ステップＢ７）。また、モード変更キー４ａが操作されたときには（ステップＢ５でＹＥＳ）、図５のフローに移り、再生モードに応じた処理（上述した第１実施形態と同様の処理）を行う。また、タッチレリーズ操作（タッチシャッタ操作）が行われたときには（ステップＢ４でＹＥＳ）、図７のフローに移り、以下、上述した第１実施形態と同様の処理が行われる。一方、レリーズキー４ｂが操作されたときには（ステップＢ３でＹＥＳ）、オートフォーカス処理（ＡＦ処理）、露出調整処理（ＡＥ処理）、オートホワイトバランス調整処理（ＡＷＢ）を行うと共に（ステップＢ８）、撮影処理を行う（ステップＢ９）。
【００５３】
そして、撮影後にその撮影画像のレビュー表示を開始させると共に（ステップＢ１０）、上述の減算タイマ（図示省略）に設定時間をセットしてその計測動作を開始（ステップＢ１１）させた後、レビュー表示中にタッチパネル６ｂへのタッチ操作が行われたかを調べる（ステップＢ１２）。ここで、タッチ操作が行われなければ（ステップＢ１２でＮＯ）、レビュー表示時間（上述のステップＢ１１で示した設定時間：例えば、３秒）が経過したかを調べ（ステップＢ１３）、その表示時間が経過していなければ（ステップＢ１３でＮＯ）、上述のステップＢ１２に戻り、以下、上述のステップＢ１２及びステップＢ１３の動作を繰り返しながら待機状態となる。
【００５４】
この状態において、上述の減算タイマがタイムアウトとなって、レビュー表示時間が経過したときには（ステップＢ１３でＹＥＳ）、レビュー表示からライブビュー表示に切り替える（ステップＢ１４）。そして、上述の減算タイマの計測動作を停止（ステップＢ１５）させた後、上述のステップＢ２に戻る。また、レビュー表示中にタッチパネル６ｂへのタッチ操作が行われたときには（ステップＢ１２でＹＥＳ）、レビュー表示時間が経過しているか否かに関わらず、レビュー表示からライブビュー表示に切り替える（ステップＢ１４）。そして、上述の減算タイマの計測動作を停止（ステップＢ１５）させた後、上述のステップＢ２に戻る。
【００５５】
以上のように、第２実施形態においては、レビュー表示中にタッチ操作が行われた際に、レビュー表示を停止させてライブビュー表示に切り替えるようにしたので、レビュー表示時間（設定時間）の経過を待たずにレビュー表示からライブビュー表示に移行させることが可能となり、利便性を向上させることが可能となる。
【００５６】
なお、上述した第２実施形態においては、レビュー表示中にタッチ操作の仕方を問わないようにしたが、例えば、なぞり操作が行われた際に、レビュー表示を停止させてライブビュー表示に切り替えるようにしてもよい。その他、複数回連続してタッチする複数回タッチ、複数本の指で同時にタッチするマルチタッチなどであってもよい。
【００５７】
なお、上述した各実施形態においては、タッチ操作内容に応じてレビュー表示時間を制御するようにしたが、これに限らず、例えば、撮影画像（静止画）の前後の動画をレビュー表示するようにしてもよく。また、レビュー表示されている撮影画像の明るさや色合いなどを変化させるようにしてもよい。
【００５８】
また、上述した各実施形態においては、撮像装置としてデジタルカメラ（コンパクトカメラ）に適用した場合を示したが、これに限らず、カメラ機能付きパーソナルコンピュータ・ＰＤＡ（個人向け携帯型情報通信機器）・デジタルカメラ・音楽プレイヤーなどであってもよく、勿論、一眼レフカメラであってもよい。
【００５９】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００６０】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
画像を撮影する撮像手段を備えた撮像装置であって、
モニタ画面と該モニタ画面上にタッチパネルを備えたタッチ表示手段と、
前記撮像手段による画像の撮影後から前記モニタ画面に所定時間行われるレビュー表示中に前記タッチパネルに対してタッチ操作が行われた場合にそのタッチ操作内容を判別する判別手段と、
前記判別手段により判別されたタッチ操作内容に応じて前記レビュー表示の表示方法を制御する表示制御手段と、
を備えることを特徴とする撮像装置である。
（請求項２）
請求項２に記載の発明は、請求項１に記載の撮像装置において、
前記タッチ操作内容は、タッチ操作のタイミングとタッチ操作の時間である、
ことを特徴とする撮像装置。
（請求項３）
請求項３に記載の発明は、請求項１または請求項２に記載の撮像装置において、
前記判別手段は、前記レビュー表示中に行われたタッチ操作が継続中であるか否かをタッチ操作内容として判別し、
前記表示制御手段は、前記判別手段によりタッチ操作が継続中であると判別されている間、該レビュー表示を継続する、
ようにしたことを特徴とする撮像装置である。
（請求項４）
請求項４に記載の発明は、請求項３に記載の撮像装置において、
前記撮像手段からの画像をライブビュー画像として逐次表示している前記モニタ画面内の被写体を撮影対象として指定するために該被写体の表示位置に対応する前記タッチパネル上の位置がタッチ操作された際にレリーズ処理を開始させるタッチシャッタ手段を更に備え、
前記判別手段は、前記レビュー表示中に前記タッチシャッタ手段によって前記レリーズ処理を開始させるタッチ操作後にそのタッチ操作が継続中であるか否かをタッチ操作内容として判別する、
ようにしたことを特徴とする撮像装置である。
（請求項５）
請求項５に記載の発明は、請求項１〜請求項４のいずれかに記載の撮像装置において、
前記判別手段は、前記レビュー表示中に前記タッチパネルに対してタッチ操作が行われた場合にそのタッチ操作の軌跡に応じたタッチ操作の種類をタッチ操作内容として判別する、
ようにしたことを特徴とする撮像装置である。
（請求項６）
請求項６に記載の発明は、請求項５に記載の撮像装置において、
前記判別手段は、前記レビュー表示中に行われたタッチ操作がなぞり操作の場合に、そのなぞり操作の移動距離をタッチ操作内容として判別する、
ようにしたことを特徴とする撮像装置である。
（請求項７）
請求項７に記載の発明は、請求項５に記載の撮像装置において、
前記タッチパネル上で行われたタッチ操作が文字を入力する文字入力操作の場合に、その入力文字を認識する文字認識手段を更に備え、
前記判別手段は、前記レビュー表示中に前記文字認識手段により認識された文字をタッチ操作内容として判別する、
ようにしたことを特徴とする撮像装置である。
（請求項８）
請求項８に記載の発明は、請求項４〜請求項７のいずれかに記載の撮像装置において、
前記表示制御手段は、前記判別手段により判別されたタッチ操作内容に応じて、該レビュー表示時間を制御する、
ようにしたことを特徴とする撮像装置である。
（請求項９）
請求項９に記載の発明は、請求項１〜請求項８のいずれかに記載の撮像装置において、
前記表示制御手段は、今回のレビュー表示時間を前回のレビュー表示時間として記憶保持しておき、次回のレビュー表示時に前記記憶保持されている前回時間分のレビュー表示を行う、
ようにしたことを特徴とする撮像装置である。
（請求項１０）
請求項１０に記載の発明は、請求項１〜請求項９のいずれかに記載の撮像装置において、
前記表示制御手段は、前記判別手段により判別されたタッチ操作内容に応じて、該レビュー表示を停止させると共に、前記撮像手段からの画像をライブビュー画像として逐次表示するライブビュー表示に切り替える、
ようにしたことを特徴とする撮像装置である。
（請求項１１）
請求項１１に記載の発明は、
画像を撮影する撮像手段による画像の撮影後から前記モニタ画面に所定時間行われるレビュー表示中に前記モニタ画面上のタッチパネルに対してタッチ操作が行われた場合にそのタッチ操作内容を判別するステップと、
前記判別されたタッチ操作内容に応じて前記レビュー表示の表示方法を制御するステップと、
を含むことを特徴とする撮像処理方法である。
（請求項１２）
請求項１２に記載の発明は、
コンピュータに対して、
画像を撮影する撮像手段による画像の撮影後から前記モニタ画面に所定時間行われるレビュー表示中に前記モニタ画面上のタッチパネルに対してタッチ操作が行われた場合にそのタッチ操作内容を判別する機能と、
前記判別されたタッチ操作内容に応じて前記レビュー表示の表示方法を制御する機能と、
を実現させるためのプログラムである。
【符号の説明】
【００６１】
１  制御部
３  記憶部
３ａ  プログラムメモリ
３ｃ  なぞりテーブル
３ｄ  文字認識テーブル
４  操作部
４ｂ  レリーズキー
５  撮像部
６  タッチ表示部
６ａ  表示パネル（モニタ画面）
６ｂ  タッチパネル
【図１】
0005565433.tif 000002
【図２】
0005565433.tif 000003
【図３】
0005565433.tif 000004
【図４】
0005565433.tif 000005
【図５】
0005565433.tif 000006
【図６】
0005565433.tif 000007
【図７】
0005565433.tif 000008
【図８】
0005565433.tif 000009